(57)【要約】【課題】複数の蓄電素子を備える蓄電装置であって、蓄電素子それぞれにおいて、電極端子等の部材の不要なずれの発生が抑制され、かつ効率よく製造することのできる蓄電装置を提供すること。【解決手段】複数の電池１０を備える蓄電装置１であって、複数の電池１０のそれぞれは、電極体４００を収容する容器１００と、容器１００から突出して設けられた正極端子２００または負極端子３００である電極端子と、電極端子に接続された接続板２１０と、接続板２１０と電池１０の外部のバスバー８００とを締結する締結部材２８０とを有し、蓄電装置１は、少なくとも一部が、複数の電池１０それぞれの容器１００と接続板２１０との間に配置され、複数の締結部材２８０の、電極端子の突出方向と交差する方向への移動を規制する規制部材２２０を備える。【選択図】図２
2015144064.tif 000002
【特許請求の範囲】
【請求項１】
複数の蓄電素子を備える蓄電装置であって、
前記複数の蓄電素子のそれぞれは、
電極体を収容する容器と、
前記電極体に電気的に接続され、前記容器から突出して設けられた電極端子である第一端子と、
前記第一端子に接続された第一接続板と、
前記第一接続板と前記蓄電素子の外部の導電部材とを締結する第一締結部材とを有し、
前記蓄電装置はさらに、
少なくとも一部が、前記複数の蓄電素子それぞれの前記容器と前記第一接続板との間に配置され、複数の前記第一締結部材の、前記第一端子の突出方向と交差する方向への移動を規制する規制部材を備える
蓄電装置。
【請求項２】
前記規制部材はさらに、前記規制部材の端縁から切り欠き状に設けられた部分を含む係合部であって、前記複数の蓄電素子のうちの少なくとも１つの蓄電素子の前記容器の壁面以外の部分と係合する係合部を有する
請求項１記載の蓄電装置。
【請求項３】
前記係合部は、前記少なくとも１つの蓄電素子の、前記容器の壁面以外の部分である、前記第一端子と係合する
請求項２記載の蓄電装置。
【請求項４】
前記規制部材はさらに、前記複数の蓄電素子のうちの少なくとも１つの蓄電素子の前記容器の壁面に当接することで、前記規制部材の、前記第一端子の突出方向と交差する平面内における回動を規制する当接部を有する
請求項１〜３のいずれか１項に記載の蓄電装置。
【請求項５】
前記当接部は、前記少なくとも１つの蓄電素子の前記容器の、前記第一端子が配置された面である主面と交差する方向に平行な壁面である側壁面に外側から当接することで、前記規制部材の、前記平面内における回動を規制する
請求項４記載の蓄電装置。
【請求項６】
前記当接部は、前記少なくとも１つの蓄電素子の前記容器の、前記第一端子が配置された面である主面の端縁から立設された壁面である内壁面に内側から当接することで、前記規制部材の、前記平面内における回動を規制する
請求項４記載の蓄電装置。
【請求項７】
前記複数の蓄電素子のそれぞれは、さらに、
前記第一端子とは逆極の電極端子である第二端子と、
前記第二端子に接続された第二接続板と、
前記第二接続板と前記蓄電素子の外部の導電部材とを締結する第二締結部材とを備え、
前記規制部材は、一部が、前記複数の蓄電素子それぞれの前記容器と前記第二接続板との間に配置され、複数の前記第二締結部材の、前記第二端子の突出方向と交差する方向への移動を規制する方向への移動を規制する
請求項１〜６のいずれか１項に記載の蓄電装置。
【請求項８】
前記規制部材は、前記第一端子と前記第二端子との間の位置に、前記規制部材の折り曲げを容易化する薄肉部を有する
請求項７記載の蓄電装置。
【請求項９】
前記規制部材は、前記複数の蓄電素子それぞれの前記第一締結部材と前記容器とを電気的に絶縁する絶縁性を有する
請求項１〜８のいずれか１項に記載の蓄電装置。
【請求項１０】
前記規制部材は、樹脂と無機材料との複合材料によって構成されている
請求項９記載の蓄電装置。
【請求項１１】
前記第一締結部材は、ボルトとナットとを含み、
前記規制部材は、前記第一締結部材の一部である前記ナットを保持する
請求項１〜１０のいずれか１項に記載の蓄電装置。
【請求項１２】
前記第一締結部材は、ボルトとナットとを含み、
前記規制部材は、前記第一締結部材の一部である前記ボルトを起立した状態で保持し、
前記第一接続板には、前記第一接続板の端縁から前記ボルトが貫通する位置まで延設された溝が形成されている
請求項１〜１０のいずれか１項に記載の蓄電装置。
【請求項１３】
前記規制部材には、前記導電部材が配置された側から前記複数の蓄電素子を見た場合における、隣り合う２つの蓄電素子の間の位置に、前記規制部材の端縁から切り欠き状に設けられた溝、または、前記規制部材を厚み方向に貫通する孔が形成されている
請求項１〜１２のいずれか１項に記載の蓄電装置。
【請求項１４】
前記導電部材は、前記複数の蓄電素子のうちの第一蓄電素子の第一接続板と、前記第一蓄電素子と隣り合う第二蓄電素子の第一接続板とを接続するバスバーである
請求項１〜１３のいずれか１項に記載の蓄電装置。
【請求項１５】
複数の蓄電素子を備える蓄電装置に配置される規制部材であって、
前記複数の蓄電素子のそれぞれは、電極体を収容する容器と、前記電極体に電気的に接続された電極端子と、前記電極端子に接続された接続板と、前記接続板と前記蓄電素子の外部の導電部材とを締結する締結部材と、を有し、
前記規制部材は、少なくとも一部が、前記複数の蓄電素子それぞれの前記容器と前記接続板との間に配置され、複数の前記締結部材の、前記電極端子の突出方向と交差する方向への移動を規制する
規制部材。
【発明の詳細な説明】
【技術分野】
【０００１】
本発明は、複数の蓄電素子を備える蓄電装置に関する。
【背景技術】
【０００２】
世界的な環境問題への取り組みとして、従来のガソリン自動車に代えてハイブリッド自動車および電気自動車等の、動力源としてモータを備える自動車が普及し始めている。
【０００３】
また、これらハイブリッド自動車等に備えられたモータに電力を供給する電源として、リチウムイオン二次電池などの蓄電素子を複数備える蓄電装置が広く活用されている。
【０００４】
このような蓄電装置が備える蓄電素子のそれぞれは、例えば、容器から突出して設けられた電極端子と、当該電極端子に接続された金属製の接続板とを備える。
【０００５】
また、隣り合う蓄電素子の接続板のそれぞれには、例えば、ボルトおよびナット等によりバスバー等の導電部材が締結され、当該導電部材によって、これら蓄電素子が電気的に接続される。
【０００６】
特許文献１には、このような構成を有する電池において、接続板と導電部材とを締結する際の電極端子等の移動を防止するための構造が開示されている。
【先行技術文献】
【特許文献】
【０００７】
【特許文献１】特許第５１４６１１０号公報
【発明の概要】
【発明が解決しようとする課題】
【０００８】
ここで、電池等の蓄電素子において、外部の導電部材をボルトおよびナット等で取り付ける際に、電極端子等の部材を移動させないためには、従来では、上記特許文献１に開示されたように、これらの部材を固定する絶縁性の部材（固定部材）が蓄電素子に組み込まれる。
【０００９】
具体的には、この固定部材が、電極端子等の他の部材とともに蓋板に配置され、蓋板で容器の本体の開口を閉塞するように、蓋板と容器本体とが接合される。
【００１０】
この蓋板と容器本体との接合の手法としては、例えば溶接が用いられるが、従来では、固定部材の存在が、溶接する位置および範囲等についての制限となり得る。
【００１１】
また、蓋板と容器本体との溶接の前には、固定部材の蓋板への取り付けを完了しておく必要があるため、固定部材の存在が、蓄電素子、および、蓄電素子を複数備える蓄電装置の製造工程についての制限ともなり得る。
【００１２】
本発明は、上記従来の課題を考慮し、複数の蓄電素子を備える蓄電装置であって、蓄電素子それぞれにおいて、電極端子等の部材の不要なずれの発生が抑制され、かつ効率よく製造することのできる蓄電装置を提供することを目的とする。
【課題を解決するための手段】
【００１３】
上記目的を達成するために、本発明の一態様に係る蓄電装置は、複数の蓄電素子を備える蓄電装置であって、前記複数の蓄電素子のそれぞれは、電極体を収容する容器と、前記電極体に電気的に接続され、前記容器から突出して設けられた電極端子である第一端子と、前記第一端子に接続された第一接続板と、前記第一接続板と前記蓄電素子の外部の導電部材とを締結する第一締結部材とを有し、前記蓄電装置はさらに、少なくとも一部が、前記複数の蓄電素子それぞれの前記容器と前記第一接続板との間に配置され、複数の前記第一締結部材の、前記第一端子の突出方向と交差する方向への移動を規制する規制部材を備える。
【００１４】
この構成によれば、それぞれの蓄電素子において、第一接続板と外部の導電部材とを締結する第一締結部材の一部は、規制部材によって、第一端子の突出方向に交差する方向の移動が規制される。
【００１５】
これにより、第一接続板と導電部材とを締結する際において、例えば第一端子を軸として第一接続板が回動することが抑制される。その結果、第一接続板と第一端子との接続の信頼性の低下、または、第一端子と容器との間の気密性の低下などの抑制が可能となる。
【００１６】
また、規制部材は、複数の蓄電素子それぞれの容器と第一接続板との間に配置されるため、例えば蓋板と容器本体とが溶接等によって接合された状態の容器に、規制部材を配置することができる。つまり、簡単に言うと、蓄電素子の容器に規制部材を後付けで配置することができる。
【００１７】
従って、例えば、複数の蓄電素子の完成品を、外装体（ケース）の内部に並べて配置した後に、これら複数の蓄電素子に対して容易に規制部材を配置することができる。これにより、蓄電装置の製造効率が向上される。
【００１８】
このように、本態様の蓄電装置は、複数の蓄電素子それぞれにおいて、電極端子等の部材の不要なずれの発生が抑制され、かつ効率よく製造することのできる蓄電装置である。
【００１９】
また、本発明の一態様に係る蓄電装置において、前記規制部材はさらに、前記規制部材の端縁から切り欠き状に設けられた部分を含む係合部であって、前記複数の蓄電素子のうちの少なくとも１つの蓄電素子の前記容器の壁面以外の部分と係合する係合部を有するとしてもよい。
【００２０】
この構成によれば、規制部材は、少なくとも１つの蓄電素子の所定の部分が端縁から差し込まれることで、当該所定の部分と係合する係合部を有している。
【００２１】
これにより、蓄電素子に後付け可能であるという規制部材の特徴が阻害されることなく、規制部材の姿勢の安定性をさらに向上させることができる。その結果、各蓄電素子における第一接続板および第一端子についての回り止め効果も向上する。
【００２２】
また、本発明の一態様に係る蓄電装置において、前記係合部は、前記少なくとも１つの蓄電素子の、前記容器の壁面以外の部分である、前記第一端子と係合するとしてもよい。
【００２３】
この構成によれば、少なくとも１つの蓄電素子の第一端子を利用して、規制部材の複数の蓄電素子への後付けおよび固定等を行うことができる。
【００２４】
また、本発明の一態様に係る蓄電装置において、前記規制部材はさらに、前記複数の蓄電素子のうちの少なくとも１つの蓄電素子の前記容器の壁面に当接することで、前記規制部材の、前記第一端子の突出方向と交差する平面内における回動を規制する当接部を有するとしてもよい。
【００２５】
この構成によれば、規制部材の複数の蓄電素子に対する移動または回動がより確実に抑制され、その結果、各蓄電素子における第一接続板および第一端子についての回り止め効果も向上する。
【００２６】
また、本発明の一態様に係る蓄電装置において、前記当接部は、前記少なくとも１つの蓄電素子の前記容器の、前記第一端子が配置された面である主面と交差する方向に平行な壁面である側壁面に外側から当接することで、前記規制部材の、前記平面内における回動を規制するとしてもよい。
【００２７】
また、本発明の一態様に係る蓄電装置において、前記当接部は、前記少なくとも１つの蓄電素子の前記容器の、前記第一端子が配置された面である主面の端縁から立設された壁面である内壁面に内側から当接することで、前記規制部材の、前記平面内における回動を規制するとしてもよい。
【００２８】
このように、規制部材に、例えば蓄電素子の容器の形状に応じた態様で当接部を設けることができる。
【００２９】
また、本発明の一態様に係る蓄電装置において、前記複数の蓄電素子のそれぞれは、さらに、前記第一端子とは逆極の電極端子である第二端子と、前記第二端子に接続された第二接続板と、前記第二接続板と前記蓄電素子の外部の導電部材とを締結する第二締結部材とを備え、前記規制部材は、一部が、前記複数の蓄電素子それぞれの前記容器と前記第二接続板との間に配置され、複数の前記第二締結部材の、前記第二端子の突出方向と交差する方向への移動を規制する方向への移動を規制するとしてもよい。
【００３０】
この構成によれば、例えば、各蓄電素子における、第一端子側および第二端子側の回り止めを、１つの部材（規制部材）に担わせることができる。そのため、蓄電装置を構成する部品点数の削減、および、蓄電装置の製造工程の簡素化等が可能となる。
【００３１】
また、本発明の一態様に係る蓄電装置において、前記規制部材は、前記第一端子と前記第二端子との間の位置に、前記規制部材の折り曲げを容易化する薄肉部を有するとしてもよい。
【００３２】
この構成によれば、規制部材を複数の蓄電素子に取り付ける作業が容易化されるため、蓄電装置の製造がより効率化される。
【００３３】
また、本発明の一態様に係る蓄電装置において、前記規制部材は、前記複数の蓄電素子それぞれの前記第一締結部材と前記容器とを電気的に絶縁する絶縁性を有するとしてもよい。
【００３４】
この構成によれば、規制部材は、一部が導電部材（例えばバスバー）と各蓄電素子の容器との間に配置されているため、導電部材と各容器との電気的な絶縁が確保される。そのため、仮に、強い衝撃によって導電部材または蓄電素子が変形してしまうような非通常状態に蓄電装置が置かれた場合であっても、当該蓄電素子の容器と導電部材との間での短絡の発生が抑制される。
【００３５】
また、本発明の一態様に係る蓄電装置において、前記規制部材は、樹脂と無機材料との複合材料によって構成されているとしてもよい。
【００３６】
この構成によれば、例えば、各蓄電素子における、第一端子等の部材の回り止めとしての強度の向上と、容器と他の部材との電気的絶縁の確実性の向上とが図られる。
【００３７】
また、本発明の一態様に係る蓄電装置において、前記第一締結部材は、ボルトとナットとを含み、前記規制部材は、前記第一締結部材の一部である前記ナットを保持するとしてもよい。
【００３８】
この構成によれば、蓄電素子の数に応じた数のナットを保持した状態の規制部材を、各蓄電素子の第一接続板と容器との間に挿入するように配置することで、規制部材の、複数の蓄電素子への後付けができる。
【００３９】
また、本発明の一態様に係る蓄電装置において、前記第一締結部材は、ボルトとナットとを含み、前記規制部材は、前記第一締結部材の一部である前記ボルトを起立した状態で保持し、前記第一接続板には、前記第一接続板の端縁から前記ボルトが貫通する位置まで延設された溝が形成されているとしてもよい。
【００４０】
この構成によれば、蓄電素子の数に応じた数のボルトを起立した状態で保持する規制部材を、各ボルトが、各蓄電素子の第一接続板に設けられた溝に挿入されるように配置することで、規制部材の、複数の蓄電素子への後付けができる。
【００４１】
また、本発明の一態様に係る蓄電装置において、前記規制部材には、前記導電部材が配置された側から前記複数の蓄電素子を見た場合における、隣り合う２つの蓄電素子の間の位置に、前記規制部材の端縁から切り欠き状に設けられた溝、または、前記規制部材を厚み方向に貫通する孔が形成されているとしてもよい。
【００４２】
この構成によれば、複数の蓄電素子それぞれの容器の一部を覆うように配置される規制部材において、部材の回り止めおよび絶縁等の機能への影響が少ない蓄電素子の間の部分に、溝または孔が設けられる。これにより、例えば、各蓄電素子で発生した熱を効率よく放熱することができる。また、規制部材に必要な強度を損なわない範囲で、規制部材に使用される樹脂等の材料の削減および、規制部材の軽量化も図られる。
【００４３】
また、本発明の一態様に係る蓄電装置において、前記導電部材は、前記複数の蓄電素子のうちの第一蓄電素子の第一接続板と、前記第一蓄電素子と隣り合う第二蓄電素子の第一接続板とを接続するバスバーであるとしてもよい。
【００４４】
この構成によれば、バスバーを、蓄電素子の第一接続板に締結する場合に、第一接続板および、第一接続板に接続された第一端子の回動が規制されるため、バスバーと第一接続板とを強固に締結することができる。
【００４５】
また、本発明の一態様に係る規制部材は、複数の蓄電素子を備える蓄電装置に配置される規制部材であって、前記複数の蓄電素子のそれぞれは、電極体を収容する容器と、前記電極体に電気的に接続された電極端子と、前記電極端子に接続された接続板と、前記接続板と前記蓄電素子の外部の導電部材とを締結する締結部材と、を有し、前記規制部材は、少なくとも一部が、前記複数の蓄電素子それぞれの前記容器と前記接続板との間に配置され、複数の前記締結部材の、前記電極端子の突出方向と交差する方向への移動を規制する。
【００４６】
本態様の規制部材によれば、接続板の回動の抑制等の、上記の各態様に係る蓄電装置における規制部材と同じ効果を得ることができる。
【発明の効果】
【００４７】
本発明によれば、複数の蓄電素子を備える蓄電装置であって、蓄電素子それぞれにおいて、電極端子等の部材の不要なずれの発生が抑制され、かつ効率よく製造することのできる蓄電装置を提供することができる。
【図面の簡単な説明】
【００４８】
【図１】実施の形態における蓄電装置の構成概要を示す斜視図である。
【図２】実施の形態における規制部材の概要を示す斜視図である。
【図３】実施の形態における規制部材の概要を示す上面図である。
【図４】実施の形態における規制部材の取り付け方の一例を示す斜視図である。
【図５】図４の規制部材におけるＡ−Ａ断面を示す断面図である。
【図６】実施の形態における電池の規制部材が配置された部分を示す図である。
【図７】規制部材による接続板および電極端子についての回り止め効果を説明するための図である。
【図８】実施の形態の変形例１における規制部材を示す斜視図である。
【図９】図８に示す規制部材が薄肉部を有する場合の外観を示す斜視図である。
【図１０】実施の形態の変形例２における規制部材の断面図である。
【図１１】実施の形態の変形例３における電池に取り付けられた規制部材とその周辺の側面を示す側面図である。
【図１２】実施の形態の変形例４における電池と規制部材とを示す斜視図である。
【図１３】実施の形態の変形例５における規制部材を示す上面図である。
【図１４】実施の形態の変形例６における規制部材を示す斜視図である。
【図１５】実施の形態における規制部材の構成例を示す模式図である。
【発明を実施するための形態】
【００４９】
以下、図面を参照しながら、本発明の実施の形態における蓄電素子について説明する。なお、各図は、模式図であり、必ずしも厳密に図示したものではない。
【００５０】
また、以下で説明する実施の形態は、包括的または具体的な例を示すものである。以下の実施の形態で示される数値、形状、材料、構成要素、構成要素の配置位置および接続形態などは一例であり、本発明を限定する主旨ではない。また、以下の実施の形態における構成要素のうち、最上位概念を示す独立請求項に記載されていない構成要素については、任意の構成要素として説明される。
【００５１】
以下の実施の形態では、蓄電素子として電池を例に挙げ、図１〜図７を用いて、実施の形態における電池および当該電池を複数備える蓄電装置の説明を行う。
【００５２】
（蓄電装置および電池の構成概要）
図１は、実施の形態における蓄電装置１の構成概要を示す斜視図である。なお、図１において、一番手前の電池１０は、内部構造の概要が示されるように、容器１００の内部を透視した図となっている。
【００５３】
本実施の形態の蓄電装置１は、複数の電池１０と、複数の電池１０に取り付けられた規制部材２２０とを備える。
【００５４】
また、蓄電装置１は複数のバスバーを備え、複数の電池１０は複数のバスバーによって直列に接続されているが、図１では、バスバーの図示は省略されている。バスバーの配置位置等については図４を用いて後述する。
【００５５】
また、蓄電装置１は、複数の電池１０を収容する外装体等の、図１に図示しない他の構成要素も備えている。しかし、本実施の形態の蓄電装置１の特徴を明確に説明するために、外装体等の他の構成要素についての図示および詳細な説明は省略する。
【００５６】
蓄電装置１は、複数の蓄電素子を備えることから、例えば「蓄電モジュール」または「組電池」と呼ばれる場合もある。また、各電池１０は、例えば「セル」または「単電池」と呼ばれる場合もある。
【００５７】
電池１０は、電気を充電し、また、電気を放電することのできる二次電池であり、例えば、非水電解質二次電池である。
【００５８】
非水電解質二次電池としては、例えば、正極活物質がコバルト酸リチウムなどのリチウム遷移金属酸化物であり、負極活物質が炭素材料であるリチウムイオン二次電池を挙げることができる。
【００５９】
なお、電池１０の種類は、非水電解質二次電池には限定されず、非水電解質二次電池以外の二次電池であってもよく、また、一次電池であってもよい。また、電池１０が、蓄電素子である、リチウムイオンキャパシタ等のキャパシタであってもよい。
【００６０】
電池１０は、図１に示すように、電極体４００を収容する容器１００と、電極体４００に電気的に接続され、容器１００から突出して設けられた電極端子とを備える。具体的には、容器１００には、それぞれが電極端子である正極端子２００および負極端子３００が配置されている。
【００６１】
なお、正極端子２００および負極端子３００のいずれか一方は第一端子の一例であり、他方は第二端子の一例である。
【００６２】
電池１０はさらに、正極端子２００および負極端子３００それぞれに接続された接続板２１０を備える。各接続板２１０には、締結部材２８０によって、外部の導電部材（本実施の形態ではバスバー）が締結される。
【００６３】
なお、締結部材２８０は、本実施の形態ではボルトおよびナットの組み合わせによって実現されている。また、１つの電池１０について配置される２つの締結部材２８０のうちの一方は第一締結部材の一例であり、他方の締結部材２８０は第二締結部材の一例である。
【００６４】
また、正極端子２００および接続板２１０は、例えば、かしめまたは溶接によって接続されている。負極端子３００および接続板２１０も同様に、例えば、かしめまたは溶接によって接続されている。
【００６５】
このような構成の電池１０には、電極端子および接続板２１０の回り止めとして機能する規制部材２２０が配置されている。具体的には、本実施の形態では、図１のように複数の電池を一列に並べた場合に、各電池１０の両極に対応する位置のそれぞれに規制部材２２０が配置されている。
【００６６】
規制部材２２０は、少なくとも一部が、複数の電池１０それぞれの容器１００と接続板２１０との間に配置され、複数の締結部材２８０の、電極端子（正極端子２００または負極端子３００、以下同じ）の突出方向と交差する方向への移動を規制する。
【００６７】
なお、本実施の形態において、規制部材２２０は、複数の締結部材２８０の一部を保持することで、これら複数の締結部材２８０の移動を規制している、また、正極端子２００および負極端子３００の突出方向をＺ軸に平行とした場合、規制部材２２０により、当該突出方向と交差する平面であるＸＹ平面における締結部材２８０の移動が規制される。
【００６８】
また、本実施の形態では、規制部材２２０は、規制部材２２０の端縁から切り欠き状に設けられた部分を含む係合部２２１であって、少なくとも１つの電池１０の容器１００の壁面以外の部分と係合する係合部２２１を有する。規制部材２２０についての詳細は、図２等を用いて後述する。
【００６９】
容器１００は、金属からなる矩形筒状で底を備える容器本体１０１と、容器本体１０１の開口を閉塞する金属製の蓋板１１０とで構成されている。
【００７０】
また、容器１００の内方には、電極体４００と、正極集電体１２０と、負極集電体１３０とが配置されている。
【００７１】
なお、電池１０の容器１００の内部には電解液などの液体が封入されているが、当該液体の図示は省略する。
【００７２】
容器１００は、電極体４００等を内部に収容後、蓋板１１０と容器本体１０１とが溶接等されることにより内部を密封する構造を有している。なお、蓋板１１０と容器本体１０１との溶接の手法としては、例えば、レーザー光線を用いたレーザー溶接が採用される。
【００７３】
電極体４００は、正極と負極とセパレータとを備え、電気を蓄えることができる部材である。具体的には、電極体４００は、負極と正極との間にセパレータが挟み込まれるように層状に配置されたものを、全体が長円形状となるように捲回されて形成されている。また、正極箔は例えばアルミニウムで形成され、負極箔は例えば銅で形成されている。
【００７４】
なお、電極体４００の形状としては長円形状に限定されず、円形状または楕円形状でもよい。また、電極体４００の構造は捲回型に限られず、平板状極板を積層した構造でもよい。
【００７５】
正極端子２００は、電極体４００の正極に電気的に接続された電極端子であり、負極端子３００は、電極体４００の負極に電気的に接続された電極端子である。
【００７６】
また、正極端子２００および負極端子３００は、電極体４００の上方に配置された蓋板１１０に、蓋板１１０とは絶縁された状態で取り付けられている。
【００７７】
具体的には、正極端子２００および負極端子３００のそれぞれは、絶縁性のパッキン（図示せず）を介して蓋板１１０に取り付けられている。
【００７８】
正極集電体１２０は、電極体４００の正極と容器１００の側壁との間に配置され、正極端子２００と電極体４００の正極とに電気的に接続される導電性と剛性とを備えた部材である。なお、正極集電体１２０は、電極体４００の正極箔と同じく、アルミニウムで形成されている。
【００７９】
負極集電体１３０は、電極体４００の負極と容器１００の側壁との間に配置され、負極端子３００と電極体４００の負極とに電気的に接続される導電性と剛性とを備えた部材である。なお、負極集電体１３０は、電極体４００の負極箔と同じく、銅で形成されている。
【００８０】
また、容器１００の内部に封入される非水電解質（電解液）は、様々なものを選択することができる。
【００８１】
例えば、非水電解質の有機溶媒として、エチレンカーボネート、プロピレンカーボネート、ブチレンカーボネート、トリフルオロプロピレンカーボネート、γ−ブチロラクトン、γ−バレロラクトン、スルホラン、１，２−ジメトキシエタン、１，２−ジエトキシエタン、テトラヒドロフラン、２−メチルテトラヒドロフラン、２−メチル−１，３−ジオキソラン、ジオキソラン、フルオロエチルメチルエーテル、エチレングリコールジアセテート、プロピレングリコールジアセテート、エチレングリコールジプロピオネート、プロピレングリコールジプロピオネート、酢酸メチル、酢酸エチル、酢酸プロピル、酢酸ブチル、プロピオン酸メチル、プロピオン酸エチル、プロピオン酸プロピル、ジメチルカーボネート、ジエチルカーボネート、エチルメチルカーボネート、メチルプロピルカーボネート、エチルプロピルカーボネート、ジプロピルカーボネート、メチルイソプロピルカーボネート、エチルイソプロピルカーボネート、ジイソプロピルカーボネート、ジブチルカーボネート、アセトニトリル、フルオロアセトニトリル、エトキシペンタフルオロシクロトリホスファゼン、ジエトキシテトラフルオロシクロトリホスファゼン、フェノキシペンタフルオロシクロトリホスファゼンなどのアルコキシ及びハロゲン置換環状ホスファゼン類または鎖状ホスファゼン類、リン酸トリエチル、リン酸トリメチル、リン酸トリオクチルなどのリン酸エステル類、ホウ酸トリエチル、ホウ酸トリブチルなどのホウ酸エステル類、Ｎ−メチルオキサゾリジノン、Ｎ−エチルオキサゾリジノン等の非水溶媒が挙げられる。また、これに公知の添加剤を加えることもできる。
【００８２】
また、固体電解質を用いる場合は、高分子固体電解質として有孔性高分子固体電解質膜を用い、高分子固体電解質にさらに電解液を含有させればよい。また、ゲル状の高分子固体電解質を用いる場合には、ゲルを構成する電解液と、細孔中等に含有されている電解液とは異なっていてもよい。ただし、高出力、高容量が要求される中大型電池の場合は、固体電解質または高分子固体電解質を用いるよりも非水電解質を単独で用いるほうがより好ましい。
【００８３】
（規制部材の詳細）
以上のような基本的な構成を有する実施の形態の蓄電装置１における、規制部材２２０の形状等について図２〜図７を用いて説明する。
【００８４】
ここで、本実施の形態では、図１における左側の規制部材２２０の形状等と、図１における右側の規制部材２２０の形状等とは、実質的に同一である。そのため、以下では、主として、図１における左側の規制部材２２０に関する事項について説明し、図１における右側の規制部材２２０に関する事項についてはその説明を適宜省略する。
【００８５】
図２は、実施の形態における規制部材２２０の概要を示す斜視図であり、図３は、実施の形態における規制部材２２０の概要を示す上面図である。
【００８６】
図４は、実施の形態における規制部材２２０の取り付け方の一例を示す斜視図である。なお、図４において、容器１００は点線で示されており、かつ、容器１００の内部を透視した図となっている。
【００８７】
図５は、図４の規制部材２２０におけるＡ−Ａ断面を示す断面図である。
【００８８】
図６は、実施の形態における電池１０の規制部材２２０が配置された部分を示す図である。
【００８９】
なお、図６の（ａ）は、電池１０における規制部材２２０の周辺の構造を示す上面図であり、図６の（ｂ）は、図６の（ａ）に対応する正面図であり、図６の（ｃ）は、図６の（ａ）に対応する側面図である。
【００９０】
また、本実施の形態では、説明の便宜上、電池１０における電極端子の突出方向（Ｚ軸正の方向）を上として扱うが、蓄電装置１が、自動車等に配置される際の電池１０の向きに特に限定はない。
【００９１】
本実施の形態の規制部材２２０は、保持部２２２を有する。本実施の形態では、蓄電装置１は、例えば６個の電池１０を有しており、図２に示すように、規制部材２２０は、電池１０の数に対応して６つの保持部２２２を有する。なお、蓄電装置１が備える電池１０の個数は２以上であればよい。
【００９２】
また、蓄電装置１では、図３に示すように、電池１０の幅方向（Ｘ軸方向）の両端部の一方の端部において、正極端子２００および負極端子３００が交互に並ぶように複数の電池１０が並べられている。
【００９３】
つまり、本実施の形態では、図３に示すように、電池１０の幅方向の端部に、隣り合う正極端子２００および負極端子３００の組が３つ存在し、各組の正極端子２００と負極端子３００とが導電部材（バスバー８００、図４参照）によって電気的に接続される。
【００９４】
例えば、図３の左端の電池１０の正極端子２００に接続された接続板２１０と、左から２番目の電池１０の負極端子３００に接続された接続板２１０とが、バスバー８００によって電気的に接続される。なお、図３の左端の電池１０および左から２番目の電池１０の一方は第一蓄電素子の一例であり、他方は第二蓄電素子の一例である。
【００９５】
このような構成を有する蓄電装置１において、規制部材２２０は、複数の接続板２１０のそれぞれと、当該接続板２１０に接続されるべき１つのバスバー８００とを締結する締結部材２８０の一部を保持する。
【００９６】
具体的には、保持部２２２は、例えば図２および図４に示すように、ボルト２８１およびナット２８２を含む締結部材２８０の一部であるナット２８２を保持する。
【００９７】
本実施の形態の保持部２２２は、外形が六角形であるナット２８２に合わせた六角形の穴によって実現される。より詳細には、保持部２２２である穴は図５に示すように有底の穴である。
【００９８】
また、規制部材２２０は、本実施の形態では、樹脂等の絶縁性素材によって構成されている。つまり、規制部材２２０は、複数の電池１０それぞれの容器１００と締結部材２８０とを電気的に絶縁する絶縁性を有している。そのため、ナット２８２の直下において、規制部材２２０と蓋板１１０との間に他の絶縁部材がない場合であっても、ナット２８２と蓋板１１０との間は電気的に絶縁される。規制部材２２０の素材の具体例については、図１５を用いて後述する。
【００９９】
なお、図５では、保持部２２２の深さは、ナット２８２の軸方向の高さよりも浅いため、ナット２８２の一部が当該穴から上に突出している。しかし、保持部２２２の中にナット２８２の全部が挿入されてもよい。
【０１００】
また、保持部２２２に挿入されたナット２８２の脱落防止のために、例えば粘性材料を用いてナット２８２と保持部２２２（穴の内面の一部）とを仮止めしてもよい。
【０１０１】
また、保持部２２２である穴のサイズをナット２８２にフィットする大きさに形成することで生じる、規制部材２２０とナット２８２との間の摩擦力によってナット２８２の脱落防止が実現されてもよい。
【０１０２】
また、インサート成型によって、複数のナット２８２が埋め込まれた規制部材２２０が作製されてもよい。
【０１０３】
このように、規制部材２２０に設けられた六角形の穴である保持部２２２にナット２８２の少なくとも一部が挿入された状態で、ナット２８２が規制部材２２０に保持される。
【０１０４】
これにより、各電池１０において、ナット２８２の規制部材２２０に対する回動（ＸＹ平面内での回動）は規制される。つまり、各電池１０において、ナット２８２が保持部２２２に保持されていることで、ボルト２８１とナット２８２との螺合が容易化される。
【０１０５】
なお、バスバー８００は、図４に示すように、取付孔８０１および接続板２１０の貫通孔２１１を貫通したボルト２８１と、保持部２２２に保持されたナット２８２とが螺合することで、接続板２１０と構造的および電気的に接続される。
【０１０６】
また、規制部材２２０は、上述のように、規制部材２２０の端縁から切り欠き状に設けられた部分を含む係合部２２１を有する。
【０１０７】
本実施の形態では、規制部材２２０には、電池１０の数と同じく６つの係合部２２１が設けられている。各係合部２２１は、図２〜図４、および図６の（ａ）に示されるように、規制部材２２０の端縁から、電極端子を径方向から挟むように設けられた孔（本実施の形態では矩形の孔）に到達する溝を有している。
【０１０８】
つまり、図４に示すように、容器１００の蓋板１１０に取り付けられた状態の電極端子（図４では正極端子２００、以下同じ）の側方から、係合部２２１に当該電極端子が差し込まれるように、規制部材２２０を配置することができる。
【０１０９】
すなわち、複数の電池１０に規制部材２２０を配置する場合に、各電池１０の電極端子の側方から、各係合部２２１に当該電極端子が差し込まれるように、規制部材２２０を配置することができる。
【０１１０】
また、係合部２２１における溝の一部は、図３に示すように、電極端子の外径よりも狭くなっている。これにより、規制部材２２０を電極端子に係合させることができる。また、電極端子と係合した規制部材２２０が、電極端子から容易に抜け落ちるようなことがない。
【０１１１】
なお、係合部２２１は、少なくとも１つの電池１０に対応して設けられていればよい。つまり、規制部材２２０は少なくとも１つの電池１０の電極端子と係合する係合部２２１を有することで、規制部材２２０の複数の電池１０への後付けおよび固定等を行うことができる。
【０１１２】
また、本実施の形態における電極端子（正極端子２００または負極端子３００）は、蓄電素子の、容器の壁面以外の部分の一例である。
【０１１３】
このように、規制部材２２０は、容器本体１０１に蓋板１１０が溶接された状態の容器１００、つまり、全ての組み立て作業を終えた電池１０に、後付けで配置することができる。また、この電池１０が複数並べられた状態においても後付けで配置することができる。
【０１１４】
ここで、規制部材２２０は電極端子と係合する係合部２２１を有するため、少なくとも一箇所で、ＸＹ平面内における移動が規制される。また、規制部材２２０は、ナット２８２を保持する保持部２２２を有する。
【０１１５】
そのため、規制部材２２０に保持されたナット２８２のＸＹ平面内における移動が規制される。その結果、図４に示すように、締結部材２８０（ボルト２８１およびナット２８２）によってバスバー８００と接続板２１０とが締結される場合における、接続板２１０および接続板２１０と接続された電極端子の回動が規制される。
【０１１６】
つまり、規制部材２２０によって、各電池１０における接続板２１０および電極端子についての回り止め効果が発揮される。
【０１１７】
また、規制部材２２０上述のように例えば樹脂を基材として採用しており、規制部材２２０の容器１００への取り付けが可能な程度の弾性変形は可能である。
【０１１８】
ここで、本実施の形態では、規制部材２２０はさらに当接部２２３を備える。当接部２２３は、少なくとも１つの電池１０の容器１００の壁面に当接することで、規制部材２２０の、電極端子の突出方向と交差する平面（ＸＹ平面）内における回動を規制する。
【０１１９】
当接部２２３は、図２〜図６に示すように、規制部材２２０の下面端縁から下方に突出した部分として規制部材２２０に備えられている。
【０１２０】
そのため、当接部２２３は、複数の電池１０のうちの最も外側の電池１０の容器１００の側壁面１００ａ（図６の（ｂ）参照）に外側から当接する。これにより、規制部材２２０のＸＹ平面内における回動が規制される。
【０１２１】
なお、側壁面１００ａは、容器１００の、電極端子が配置された面である主面１１０ａと交差する方向に平行な壁面である。
【０１２２】
このように、本実施の形態の規制部材２２０は、少なくとも１つの電池１０の容器１００の壁面に当接する当接部２２３を有する。これにより、規制部材２２０の回動がより確実に抑制される。その結果、各電池１０における接続板２１０および電極端子についての回り止め効果も向上する。
【０１２３】
図７は、規制部材２２０による接続板２１０および電極端子についての回り止め効果を説明するための図である。
【０１２４】
例えば、ある１つのボルト２８１の頭部が右回りに回された場合、例えばその回転軸がブレることで、ボルト２８１をＸＹ平面に平行な方向に移動させようとする外力がボルト２８１に働く。その結果、ボルト２８１と螺合するナット２８２にも当該外力が作用する。
【０１２５】
しかし、ナット２８２は、図２〜図４に示すように、規制部材２２０に保持されており、規制部材２２０は少なくとも一箇所で容器１００に対する移動が規制されている。そのため、ナット２８２の移動は規制される。
【０１２６】
さらに、本実施の形態では、規制部材２２０は、少なくとも１つの電池１０の容器１００の壁面と当接する当接部２２３を有する。具体的には、規制部材２２０には、一列に並べられた複数の電池１０を上面視（バスバー８００が配置された側から複数の電池１０を見た場合、以下同じ）において両側から挟み込むように一対の当接部２２３が備えられている。
【０１２７】
その結果、規制部材２２０のＸＹ平面内における移動の自由度は、当該一対の当接部２２３がない場合よりも抑制される。
【０１２８】
ここで、１つの締結部材２８０に着目した場合、当該締結部材２８０の一部は、規制部材２２０の１つの保持部２２２に保持されている。従って、当該締結部材２８０は規制部材２２０のＸＹ平面内における移動を規制する部材としても機能する。
【０１２９】
そのため、規制部材２２０が、係合部２２１および当接部２２３を備えない場合であっても、接続板２１０を貫通し、規制部材２２０に一部が保持された１つの締結部材２８０によって、規制部材２２０のＸＹ平面内における移動および回動を抑制することは可能である。係合部２２１および当接部２２３を備えない規制部材については、実施の形態の変形例５として図１４を用いて後述する。
【０１３０】
このように、本実施の形態における各締結部材２８０は、規制部材２２０が有する、各電池１０における接続板２１０および電極端子についての回り止め効果を向上させる部材としても機能する。
【０１３１】
なお、本実施の形態では、円柱状の電極端子に規制部材２２０の係合部２２１が係合している。しかし、例えば、電極端子の周面に凹部または凸部を形成し、凹部または凸部に係合部２２１の一部が引っかかることで、規制部材２２０のＸＹ平面内における回動を実質的に防止してもよい。
【０１３２】
また、例えば、電極端子を貫通する、上面視において真円以外の形状（例えば、多角形）の補助部材を、蓋板１１０と接続板２１０との間に挟みこむようにして蓋板１１０に固定し、当該補助部材に、補助部材と嵌り合う形状の係合部２２１を係合させてもよい。こうすることでも、規制部材２２０のＸＹ平面内における回動の実質的な防止は可能である。
【０１３３】
また、規制部材２２０に当接部２２３を設ける場合、その数に特に限定はない。つまり、規制部材２２０に、１または３以上の当接部２２３が設けられてもよい。
【０１３４】
また、当接部２２３のサイズおよび形状についても、図２等に示されるサイズおよび形状に限定されない。例えば、当接部２２３の正面視における全体的な形状が、図４の（ｂ）に示すような矩形である必要はなく、例えば半円形であってもよく、また、曲線と曲線との組み合わせによる形状であってもよい。
【０１３５】
このように、本実施の形態における蓄電装置１は、複数の電池１０を備え、さらに、各電池１０における電極端子および接続板２１０の回り止めとして機能する規制部材２２０を備える。
【０１３６】
これにより、各電池１０において、接続板２１０とバスバー８００とを締結することに起因する、接続板２１０と電極端子との接続部分の信頼性の低下、または、電極端子と容器１００（蓋板１１０）との気密性の低下等が抑制される。
【０１３７】
また、規制部材２２０は、複数の電池１０それぞれの容器１００と接続板２１０との間に一部が配置されるため、これら複数の電池１０における接続板２１０等のずれを一括して規制することができる。
【０１３８】
つまり、各電池１０の容器１００（蓋板１１０）に、予め規制部材２２０を取り付けておく必要はなく、規制部材２２０を、複数の電池１０に対して後付けすることが可能である。
【０１３９】
従って、例えば、各電池１０の製造工程において、電極端子の蓋板１１０への取り付け等の複雑な作業を含む工程に、規制部材２２０の容器１００への取り付けを含ませる必要はない。それぞれが完成品である複数の電池１０を並べて、これら複数の電池１０に対して一括して規制部材２２０を後付けすることができる。これにより、複数の蓄電装置１の製造に係る効率を向上させることができる。
【０１４０】
また、各電池１０において、容器本体１０１と蓋板１１０とを溶接する際には、蓋板１１０の主面１１０ａには、規制部材２２０は存在しないため、容器本体１０１の周縁と蓋板１１０の端縁とを全周において溶接することが可能である。
【０１４１】
言い換えると、容器本体１０１と蓋板１１０との溶接箇所、つまり、蓋板１１０の端縁を、規制部材２２０で覆うことができる。
【０１４２】
その結果、例えば図６の（ａ）に示すように、規制部材２２０を、バスバー８００が配置された側から電池１０を見た場合において、少なくとも、バスバー８００と、容器１００の主面１１０ａとが重なる領域を覆うように配置することができる。また、本実施の形態において規制部材２２０は絶縁性を有する素材により構成されている。
【０１４３】
これにより、仮に、バスバー８００が接続された電池１０が、強い衝撃によってバスバー８００または電池１０が変形してしまうような非通常状態に置かれた場合であっても、容器１００とバスバー８００との間での短絡の発生が抑制される。この規制部材２２０による効果を、蓄電装置１が備える複数の電池１０の全てについて発揮させることも可能である。
【０１４４】
なお、電池１０は、図２等に示す規制部材２２０の形状とは異なる形状の規制部材を備えてもよい。そこで、以下に、実施の形態における規制部材２２０に関する各種の変形例を、上記実施の形態との差分を中心に説明する。
【０１４５】
（変形例１）
図８は、実施の形態の変形例１における規制部材２５０を示す斜視図である。
【０１４６】
図８に示す規制部材２５０は、一部が複数の電池１０それぞれの容器１００と、図８における左側（以下、単に「左側」という）の接続板２１０との間に配置されている。さらに規制部材２５０は、他の一部が複数の電池１０それぞれの容器１００と図８における右側（以下、単に「右側」という）の接続板２１０と間に配置されている。
【０１４７】
つまり、規制部材２５０は、複数の電池１０それぞれにおいて、正極側の部材および負極側の部材の回り止めとしての機能を備えている。
【０１４８】
具体的には、規制部材２５０は、図８に示すように、複数の電池１０それぞれに対応するように一列に並べられた複数の保持部２５３と、一列に並べられた複数の保持部２５４とを有する。
【０１４９】
複数の保持部２５３のそれぞれには、左側に配置される締結部材２８０の一部であるナット２８２が保持され、数の保持部２５４のそれぞれには、右側に配置される締結部材２８０の一部であるナット２８２が保持される。
【０１５０】
規制部材２５０はさらに、それぞれが左側の複数の電極端子と係合する複数の係合部２５１と、それぞれが右側の複数の電極端子と係合する複数の係合部２５２とを有する。
【０１５１】
本変形例の規制部材２５０は、このような構成を有することで、複数の電池１０それぞれにおける両極（正極端子２００および負極端子３００）についての回り止めとして機能する。
【０１５２】
なお、保持部２５３および２５４は、図４および図５に示す、実施の形態における保持部２２２と同じく、外形が六角形であるナット２８２に合わせた六角形の有底穴によって実現されている。
【０１５３】
また、規制部材２５０はさらに、図８における最も手前側の電池１０の容器１００の側壁面１００ａに外側から当接する当接部２５５および２５６を有している。
【０１５４】
なお、図８には図示されていないが、例えば、規制部材２５０の奥側の下面端縁にも当接部２５５および２５６が配置されている。
【０１５５】
このように、本変形例における規制部材２５０は、上記実施の形態における規制部材２２０を２つ連結したような構造を有している。
【０１５６】
このような構造の規制部材２５０を、一列に並べられた複数の電池１０に取り付ける場合、例えば、まず、規制部材２５０の複数の保持部２５３および２５４それぞれにナット２８２を保持させる。
【０１５７】
さらに、係合部２５１のそれぞれを各接続板２１０と各容器１００との間に挿入し、各係合部２５１を各電池１０の左側の電極端子に係合させる。その状態で、規制部材２５０を上方凸になるように湾曲させ、各係合部２５２を各電池１０の右側の電極端子に係合させる。
【０１５８】
例えばこのような手順によって、規制部材２５０を複数の電池１０に後付けすることができる。その後、電池１０の並び方向に隣り合う、互いに逆極の２つの接続板２１０にバスバー８００がボルト２８１を用いて締結される。このような締結作業が、バスバー８００等の導電部材との接続が必要な１以上の接続板２１０について行われる。
【０１５９】
この締結の際、規制部材２５０によって、締結部材２８０の、電極端子の突出方向に交差する方向への移動が規制される。その結果、各電池１０における接続板２１０および電極端子の回動が抑制される。
【０１６０】
なお、係合部２５１および係合部２５２は、いずれか一方が、少なくとも１つの電池１０に対応して設けられていてもよい。つまり、規制部材２５０は少なくとも１つの電池１０の電極端子と係合する係合部２５１または２５２を有することで、規制部材２２０の複数の電池１０への後付けおよび固定等を行うことができる。
【０１６１】
また、規制部材２５０は少なくとも１つの当接部（例えば、図８に示される当接部２５５）を備えることで、規制部材２５０の回動がより確実に抑制され、その結果、接続板２１０等についての回り止め効果も向上する。
【０１６２】
なお、規制部材２５０を複数の電池１０に後付けする際に、規制部材２５０を湾曲させる手順が生じる。そこで、この湾曲（折り曲げ）を容易にするために、規制部材２５０は薄肉部を有してもよい。
【０１６３】
図９は、図８に示す規制部材２５０が薄肉部２５８を有する場合の外観を示す斜視図である。
【０１６４】
図９に示すように、規制部材２５０に、規制部材２５０が複数の電池１０に取り付けられた場合における、両極（正極端子２００および負極端子３００）の間の位置に、薄肉部２５８を設ける。
【０１６５】
これにより、規制部材２５０の折り曲げが容易化されるため、規制部材２５０の複数の電池１０に対する後付け作業の効率が向上する。
【０１６６】
（変形例２）
上記実施の形態では、規制部材２２０が有する当接部２２３は、少なくとも１つの電池１０の容器１００の側壁面１００ａ（図６の（ｂ）参照）に外側から当接するとした。
【０１６７】
しかし、当接部は、容器の側壁面１００ａ以外の壁面と当接するように、規制部材に設けられてもよい。例えば、当接部が、少なくとも１つの電池１０の容器１００の内壁面に当接するように規制部材に設けられてもよい。
【０１６８】
図１０は、実施の形態の変形例２における規制部材２６０の断面図である。なお、図１０に示す断面は、図４におけるＡ−Ａ断面に相当する位置の断面である。
【０１６９】
図１０に示すように、例えば、蓋板１１０が凹形状である場合、容器１００には、主面１１０ａの端縁から立設された壁面である内壁面１００ｂが存在する。
【０１７０】
この場合、規制部材２６０のＹ軸方向の側面が当接部２２３ａとして機能する。具体的に規制部材２６０の外側の側面（図１０における左の端面）が当接部２２３ａとして機能する。
【０１７１】
また、図１０に示すように、規制部材２６０の裏面に、蓋板１１０の凹形状に応じた形状の凸部を、複数の蓋板１１０に応じた位置に形成することで、これら凸部それぞれのＹ軸方向の両側の側面が、蓋板１１０の内壁面１００ｂに当接する。つまり、規制部材２６０の裏面に設けられた複数の凸部のＹ軸方向の両側の側面は、当接部２２３ａとして機能する。
【０１７２】
本変形例における規制部材２６０は、少なくとも１つの当接部２２３ａが内壁面１００ｂに内側がら当接することで、規制部材２６０の、電極端子の突出方向に交差する平面内における回動が規制される。その結果、各電池１０における接続板２１０および電極端子についての回り止め効果が向上する。
【０１７３】
なお、規制部材２６０はさらに、少なくとも１つの当接部２２３を有してもよい。これにより、規制部材２６０による、各電池１０における接続板２１０等についての回り止め効果をさらに向上させることができる。
【０１７４】
（変形例３）
上記実施の形態では、ある１つの電池１０に着目した場合、当該電池１０において電極端子よりも内側に締結部材２８０が配置されている（例えば、図１参照）。しかしながら、規制部材２２０は、電極端子よりも外側に締結部材２８０が配置される構造の電池に後付けすることもできる。
【０１７５】
図１１は、実施の形態の変形例３における電池１１に取り付けられた規制部材２２０とその周辺の側面を示す側面図である。
【０１７６】
図１１に示す電池１１は、正極端子２００の上端部に、外側（図１１における左側）に延設された接続板２１０が接続されており、正極端子２００よりも外側に締結部材２８０が配置される。
【０１７７】
このように、電極端子よりも外側に締結部材２８０が配置される構造であっても、ナット２８２を保持した規制部材２２０の一部を、電池１１の外側から、接続板２１０と容器１００との間に挿入することは可能である。
【０１７８】
すなわち、一列に並べられた複数の電池１１に対して、複数の保持部２２２を有する規制部材２２０（例えば、図２参照）を後付けすることができ、これにより、各電池１１における接続板２１０および電極端子についての回り止め効果が発揮される。
【０１７９】
（変形例４）
上記実施の形態では、規制部材２２０は、締結部材２８０の一部であるナット２８２を保持するとした。しかしながら、規制部材２２０は、締結部材２８０の一部であるボルト２８１を保持してもよい。
【０１８０】
図１２は、実施の形態の変形例４における電池１２と規制部材２２０とを示す斜視図である。
【０１８１】
なお、図１２において、容器１００は点線で示されており、かつ、容器１００の内部を透視した図となっている。
【０１８２】
図１２に示す電池１２は、特徴的な構成として、溝２１２が形成された接続板２１０ａを備える。また、規制部材２２０は、ボルト２８１を起立した状態で保持する。
【０１８３】
具体的には、規制部材２２０の保持部２２２にボルト２８１の頭部が挿入され、この状態で、規制部材２２０にボルト２８１が保持される。
【０１８４】
また、接続板２１０ａには、接続板２１０ａの端縁からボルト２８１が貫通する位置まで延設された溝２１２が形成されている。そのため、ボルト２８１を起立した状態で保持する規制部材２２０を、接続板２１０ａと容器１００との間に挿入することが可能である。
【０１８５】
つまり、図１２における接続板２１０ａの右端に存在する、溝２１２の開口から、ボルト２８１を溝２１２に差し込むようにして、規制部材２２０を容器１００に取り付けることが可能である。
【０１８６】
すなわち、複数のボルト２８１を起立した状態で保持する規制部材２２０を、一列に並べられた複数の電池１２に後付けすることができる。
【０１８７】
このようにして規制部材２２０が容器１００に取り付けられた後に、ボルト２８１が、バスバー８００の取付孔８０１を貫通するようにバスバー８００を配置し、ナット２８２でバスバー８００と接続板２１０ａとを締結する。このような締結作業が、バスバー８００等の導電部材との接続が必要な１以上の接続板２１０ａについて行われる。
【０１８８】
この締結の際、上記実施の形態等で説明したように、規制部材２２０によって、それぞれの締結部材２８０の、正極端子２００の突出方向に交差する方向への移動が規制される。その結果、各電池１２における接続板２１０および電極端子の回動が抑制される。
【０１８９】
（変形例５）
図１３は、実施の形態の変形例５における規制部材２７０を示す上面図である。
【０１９０】
図１３に示す規制部材２７０は、実施の形態における規制部材２２０と同様に、複数の保持部２７２と、複数の係合部２７１とを有する。保持部２７２のそれぞれは、締結部材２８０の一部であるナット２８２を保持する。係合部２７１は、規制部材２７０の端縁から切り欠き状に設けられた部分を含み、少なくとも１つの電池１０の容器１００の壁面以外の部分と係合する。
【０１９１】
つまり、規制部材２７０は、実施の形態における規制部材２２０と同じく、一列に並べられた複数の電池１０に対する後付けが可能であり、各電池１０における接続板２１０および電極端子についての回り止めとして機能する部材である。
【０１９２】
本変形例における規制部材２７０はさらに、図１３に示すように、規制部材２７０の端縁から切り欠き状に設けられた溝２７５を有している。具体的には、規制部材２７０が複数の電池１０に取り付けられた状態における隣り合う２つの電池１０の間の位置に、溝２７５が設けられている。
【０１９３】
つまり、規制部材２７０は、隣り合う２つの電池１０の容器１００の間の空間と、規制部材２７０の上方の空間とを連通する溝２７５を有している。これにより、当該２つの電池１０の間の空間の熱を効率よく上方に逃がすことができる。
【０１９４】
このように、本変形例における規制部材２７０には、接続板２１０等の部材の回り止めおよび絶縁等の機能への影響が少ない、２つの電池１０の間の部分に、溝２７５が設けられている。
【０１９５】
これにより、例えば、各電池１０で発生した熱を効率よく放熱することができる。また、規制部材２７０に必要な強度を損なわない範囲で、規制部材２７０に使用される樹脂等の材料の削減および、規制部材２７０の軽量化も図られる。
【０１９６】
なお、上記の放熱等の効果は、規制部材２７０に、溝２７５の代わりに、１以上の孔（規制部材２７０を厚み方向に貫通する孔）を設けることでも得られる。
【０１９７】
例えば、規制部材２７０の、上面視における２つの電池１０の間の部分に、Ｘ軸方向に沿って複数の孔を設けてもよい。また、規制部材２７０に必要な強度を損なわない範囲で複数の孔を規制部材２７０に設けることで、規制部材２７０の一部に網目状の部分が形成されてもよい。
【０１９８】
（変形例６）
図１４は、実施の形態の変形例６における規制部材２９０を示す斜視図である。なお、図１４では、各電池１０は点線で示されており、かつ、接続板２１０の図示は省略されている。
【０１９９】
図１４に示すように、変形例６における規制部材２９０は、実施の形態における規制部材２２０と同様に、複数の保持部２９２を有し、保持部２９２のそれぞれには、締結部材２８０の一部であるナット２８２が保持される。
【０２００】
しかし、規制部材２９０は、実施の形態における規制部材２２０とは異なり、係合部２２１および当接部２２３を備えていない。つまり、規制部材２９０は、平板状の本体に、保持部２９２として機能する有底穴が複数形成された形状であり、いずれかの電池１０の一部を挟み込む、または、引っ掛けるような構造を有していない。
【０２０１】
しかし、このような構造の規制部材２９０であっても、各電池１０における接続板２１０等の回り止めとしての役割を担うことができる。
【０２０２】
例えば、規制部材２９０が、一列に並べられた複数の電池１０に対して配置され、１つの接続板２１０とバスバー８００とが締結部材２８０によって締結された場合（仮に締結された場合も含む）を想定する。この場合、当該締結部材２８０の一部は、規制部材２９０の１つの保持部２９２に保持されているため、規制部材２９０のＸＹ平面内における移動を規制する部材としても機能する。
【０２０３】
すなわち、１つの規制部材２９０に対応する複数の締結部材２８０のそれぞれが、規制部材２９０のＸＹ平面内における移動を規制する部材として機能する。そのため、少なくとも１つの締結部材２８０を、接続板２１０を貫通させた状態で、規制部材２９０に保持させることで、規制部材２９０のＸＹ平面内における移動が実質的に規制される。
【０２０４】
なお、最初に締結部材２８０でバスバー８００と接続板２１０とを締結する際には、例えば、規制部材２９０を治具または仮止め用の粘着テープ等で固定して締結してもよい。
【０２０５】
また、治具等による固定がない場合であっても、平板状の規制部材２９０の側面を、複数の電池１０の一部に当接させることで規制部材２９０を仮固定し、これにより、最初の締結を安定的に行うことができる。
【０２０６】
例えば、図１４に示される複数のナット２８２のうち、一番奥のナット２８２を最初にボルト２８１（例えば図４参照）と螺合させる場合、ナット２８２には、当該螺合において、上面視で右回りの外力が作用する。その結果、規制部材２９０には、上面視において右回りに回動しようとする外力がはたらく。
【０２０７】
この場合、規制部材２９０の、図１４における左側の側面２９０ａが、複数の電池１０のうちのいずれかの電池１０の電極端子と当接していれば、規制部材２９０の右回りの回動が規制される。
【０２０８】
また、例えば、規制部材２９０の電池１０の並び方向（Ｙ軸方向）２つの側面２９０ｂのいずれかが、変形例２における当接部２２３ａと同様に、凹形状の蓋板１１０の内壁面１００ｂに当接している場合も、規制部材２９０の回動が規制される。
【０２０９】
このように、図１４に示すような比較的に単純な形状の規制部材２９０であっても、複数の電池１０への後付けが可能であり、かつ、接続板２１０等の回り止め部材として機能することができる。
【０２１０】
（規制部材の素材について）
以上説明した実施の形態およびその変形例１〜６における規制部材２２０等の規制部材は、例えば樹脂と無機材料との複合材料を素材とする。これにより、電極端子等の部材の回り止めとしての強度の向上と、容器１００との他の部材との間の電気的絶縁の確実性の向上とが図られる。
【０２１１】
以下、規制部材２２０等の規制部材が素材として採用し得る材料の例を示す。
【０２１２】
図１５は、実施の形態における規制部材２２０の構成例を示す模式図である。
【０２１３】
図１５の（ａ）に示すように、樹脂であるαに、粒子状の無機材料であるβが分散されて含まれることで、規制部材２２０が構成されてもよい。
【０２１４】
また、図１５の（ｂ）に示すように、樹脂であるαに、繊維状の無機材料であるγが分散されて含まれることで、規制部材２２０が構成されてもよい。
【０２１５】
なお、αとして採用される樹脂は、例えば以下に例示される耐熱性樹脂である。
【０２１６】
すなわち、ポリビニルアルコール（ＰＶＡ）、ポリフェニレンスルファイド（ＰＰＳ）、ポリエーテルエーテルケトン（ＰＥＥＫ）、ポリイミド、ポリエチレンテレフタレート（ＰＥＴ）、ポリブチレンテレフタレート（ＰＢＴ）、ポリエーテルイミド（ＰＥＩ）、ポリフェニルサルフォン（ＰＰＳＵ）、ポリアミドイミド（ＰＡＩ）、ポリエーテルサルフォン（ＰＥＳ）、ポリサルフォン（ＰＳＦ）、ポリアクリレート（ＰＡＲ）、液晶ポリエステル（ＬＣＰ）、メラミン樹脂（ＭＦ）、フェノール樹脂（ＰＦ）、シリコーン樹脂（ＳＩ）、エポキシ樹脂（ＥＰ）などが、規制部材２２０の素材の一部として採用される耐熱性樹脂として例示される。
【０２１７】
また、耐熱性樹脂の一種であるフッ素樹脂としては、ポリテトラフルオロエチレン（ＰＴＦＥ）、テトラフルオロエチレン・ヘキサフルオロプロピレン共重合体（ＦＥＰ）、テトラフルオロエチレン・エチレン共重合体（ＥＴＦＥ）、テトラフルオロエチレン・パーフルオロアルキルビニルエーテル共重合体（ＦＥＰ）、ポリクロロトリフルオロエチレン（ＰＣＴＦＥ）などが例示される。
【０２１８】
また、αとして非耐熱性樹脂が採用されてもよい。αとしてとして採用される非耐熱性樹脂として、ポリエチレン（ＰＥ）、ポリプロピレン（ＰＰ）、ポリスチレン、ＡＢＳ樹脂、ポリ塩化ビニル、ポリスチレン、メタクリル樹脂、セルロース類、およびゴム類などが例示される。
【０２１９】
また、粒子状の無機材料であるβとしては、例えば粒子状のセラミックが採用される。βとして採用されるセラミックとして、アルミナ、シリカ、チタニア、ジルコニア、マグネシア、セリア、イットリア、酸化亜鉛、および、酸化鉄等の酸化物系セラミック、ならびに、窒化ケイ素、窒化チタン、および窒化ホウ素等の窒化物系セラミックが例示される。
【０２２０】
βとして採用されるセラミックとしては、他にも、シリコンカーバイド、炭酸カルシウム、硫酸アルミニウム、水酸化アルミニウム、チタン酸カリウム、タルク、カオリンクレー、カオリナイト、ハロイサイト、パイロフィライト、モンモリロナイト、セリサイト、マイカ、アメサイト、ベントナイト、ゼオライト、ケイ酸カルシウム、ケイ酸マグネシウム、ケイ藻土、ケイ砂等が例示される。
【０２２１】
また、繊維状の無機材料であるγとしては、ガラス繊維、ロックウール、炭素繊維、セラミック繊維等が例示される。
【０２２２】
なお、規制部材２２０が、セラミックの粒子または繊維を含む場合、電池１０の電解液が容器１００から漏出したと仮定した場合において、電解液に含まれる電解質の加水分解によって生成する酸分をセラミックの粒子または繊維によってトラップする効果が期待できる。
【０２２３】
また、例えば規制部材２２０の素材の一部を構成する樹脂として、撥水性の樹脂を採用することで、規制部材２２０の表面における結露の発生を抑制することができる。
【０２２４】
以上説明した規制部材２２０の素材についての例示および効果等は、変形例１〜６における各規制部材にも適用される。
【０２２５】
（実施の形態および変形例の補足）
以上、本発明の一態様に係る蓄電装置について、実施の形態およびその変形例に基づいて説明した。しかしながら、本発明は、これらの実施の形態およびその変形例に限定されるものではない。本発明の趣旨を逸脱しない限り、当業者が思いつく各種変形を本実施の形態またはその変形例に施したものも、あるいは、上記説明された複数の構成要素を組み合わせて構築される形態も、本発明の範囲内に含まれる。
【０２２６】
例えば、実施の形態における規制部材２２０と同一の形状であって、絶縁性の低い、または、絶縁性を有しない部材を、規制部材として規制部材２２０と同様に複数の電池１０に取り付けてもよい。これにより、上述の電極端子等の部材についての回り止め効果を得ることができる。
【０２２７】
この場合、規制部材と、各電池１０の容器１００との間に、例えば樹脂等の絶縁物が存在していれば、規制部材と各容器１００との電気的な絶縁は確保される。
【０２２８】
また、規制部材２２０は、例えば強度の向上のためのリブであって、平板状の本体から突出状に設けられたリブが形成されていてもよい。例えば樹脂を基材とする材料の成形品として規制部材２２０を作製する場合、規制部材２２０の一体物として容易にリブを設けることができる。
【０２２９】
また、規制部材２２０は全体として平板状である必要はなく、フレーム構造の本体に保持部２２２に対応する、締結部材２８０の一部を保持する部分が設けられた部材として実現されてもよい。
【０２３０】
以上の規制部材２２０に関する各種の補足事項は、上記の変形例１〜６における規制部材のそれぞれについても適用される。
【０２３１】
また、締結部材２８０によって接続板２１０または２１０ａに締結される導電部材は、バスバー８００以外であってもよい。例えば、蓄電装置１と、蓄電装置１の外部のモータ等の装置とを接続するための電線の端子が、導電部材として接続板２１０または２１０ａと締結されてもよい。
【０２３２】
また、例えば、図１２に示す、変形例４における電池１２が、規制部材２２０に代えて、図１３に示す規制部材２７０または、図１４に示す規制部材２９０を備えてもよい。
【０２３３】
また、例えば、図１２に示す、変形例４における電池１２の右側の構造（図１２に図示せず）が、図１に示す実施の形態における電池１０と同じであってもよい。つまり、蓄電装置１において、少なくとも１つの電池１２の正極端子２００および負極端子３００のうちの一方側の規制部材２２０はボルト２８１を保持し、他方側の規制部材２２０がナット２８２を保持する構造が採用されてもよい。
【産業上の利用可能性】
【０２３４】
本発明は、複数の蓄電素子を備える蓄電装置であって、蓄電素子それぞれにおいて、電極端子等の部材の不要なずれの発生が抑制され、かつ効率よく製造することのできる蓄電装置を提供することができる。従って、本発明に係る蓄電装置は、自動車等に搭載される蓄電装置として有用である。
【符号の説明】
【０２３５】
１  蓄電装置
１０、１１、１２  電池
１００  容器
１００ａ  側壁面
１００ｂ  内壁面
１０１  容器本体
１１０  蓋板
１１０ａ  主面
１２０  正極集電体
１３０  負極集電体
２００  正極端子
２１０、２１０ａ  接続板
２１１  貫通孔
２１２  溝
２２０、２５０、２６０、２７０、２９０  規制部材
２２１、２５１、２５２、２７１  係合部
２２２、２５３、２５４、２７２、２９２  保持部
２２３、２２３ａ、２５５、２５６  当接部
２５８  薄肉部
２７５  溝
２８０  締結部材
２８１  ボルト
２８２  ナット
２９０ａ、２９０ｂ  側面
３００  負極端子
４００  電極体
８００  バスバー
８０１  取付孔
【図１】
2015144064.tif 000003
【図２】
2015144064.tif 000004
【図３】
2015144064.tif 000005
【図４】
2015144064.tif 000006
【図５】
2015144064.tif 000007
【図６】
2015144064.tif 000008
【図７】
2015144064.tif 000009
【図８】
2015144064.tif 000010
【図９】
2015144064.tif 000011
【図１０】
2015144064.tif 000012
【図１１】
2015144064.tif 000013
【図１２】
2015144064.tif 000014
【図１３】
2015144064.tif 000015
【図１４】
2015144064.tif 000016
【図１５】
2015144064.tif 000017